(57)【要約】      （修正有）【課題】キャップを取り外し方向に回したとき、適正に不正開封防止リングがキャップ本体につながった状態で取り外されるようにしたキャップを提供する。【解決手段】不正開封防止機能付きキャップ１の不正開封防止リング４を分割し、その分割端１２間のリング上縁部１４が相対する部分に接続部８を配置して、相対しているリング上縁部１４のみを接続部８で接続した。それにより、リング４径方向での厚み調整が行ない易くなるようにした。【選択図】図５
2008285208.tif 000002
【特許請求の範囲】
【請求項１】
口部外周面に外ネジ部を有してこの外ネジ部の下部に口部外周面に亘ってリブを設けた注出口に取り付けるネジ付け式である合成樹脂製のキャップであって、
キャップ本体と、このキャップ本体の下部に切断可能な複数の連結部で接続されている不正開封防止リングとからなり、
前記不正開封防止リングはリング内周側に係止手段を有していて、前記係止手段は、注出口に取り付けられたキャップ本体がキャップ取り外し方向に回転して不正開封防止リングが口部高さ方向上方に移動したときに前記リブに係止するものであり、
かつ、前記不正開封防止リングは分割されていて、分割端の間に位置してリング高さ方向に細幅とした切断可能な接続部を介して分割端同士が接続され、
前記接続部を間にして相対する一方の分割端と他方の分割端の内、一方の分割端に強化接続部が設けられて、この強化接続部を介して前記一方の分割端とキャップ本体とが接続されている不正開封防止機能付きキャップにおいて、
前記接続部は、分割端間のリング上縁部が相対する部分に配置されていることを特徴とする不正開封防止機能付きキャップ。
【請求項２】
上記リング上縁部がリング径方向中心側に向けて凸となる厚肉に成形され、分割端間において厚肉のリング上端部の間に接続部が位置している請求項１に記載の不正開封防止機能付きキャップ。
【請求項３】
不正開封防止リングは複数箇所で分割されていて、分割部分ごとに分割端同士を接続する上記接続部が配置されていて、分割部分の一方の分割端それぞれが上記強化連結部を介してキャップ本体に接続されている請求項１または２に記載の不正開封防止機能付きキャップ。
【請求項４】
対向する分割端の内、上記他方の分割端には、キャップ本体に非連続にしてこのキャップ本体に向けて突出したストッパが設けられている請求項１から３の何れか一項に記載の不正開封防止機能付きキャップ。
【発明の詳細な説明】
【技術分野】
【０００１】
本発明は飲料用容器の注出口に取り付けられる合成樹脂製の不正開封防止機能付きキャップに関するものである。
【背景技術】
【０００２】
従来からペットボトルなどの飲料を収容する容器の注出口には、不正開封防止機能を備える合成樹脂製のキャップが提案されている。この不正開封防止機能付きキャップは、注出口の口部の外周面にある外ネジ部に対応した内ネジ部を有するキャップ本体と、前記外ネジ部の下部において口部外周面に亘って位置するリブに係合できるようにした不正開封防止リングとを、切断可能な複数の連結部で接続していて、注出口に取り付けられた状態において、キャップ本体をキャップ取り外し方向に回転させると、前記不正開封防止リングとの間の複数の連結部が切断するものである。
【０００３】
上記キャップにおいては、開封した後に不正開封防止リングが注出口側に残るが、容器本体や注出口を成形した材料とキャップを成形した材料とが異なっていて、容器を廃棄するまでの間にこの不正開封防止リングを注出口から取り外しておくことがリサイクルなどの観点から望まれている。
この点から、特許文献１に示されているように、不正開封防止リングの一部分に縦のスリットを入れ、そのスリットの部分に切断可能なブリッジを配しておき、そのスリットの部分に爪先などを差し入れるなどしてブリッジを切断することで、注出口側に残った不正開封防止リングを必要時に簡単に取り外すことができるようにしたものが提案されている。
さらに、キャップ本体と不正開封防止リングとを一部分で接続し、キャップ本体側に接続された部分の近傍位置で不正開封防止リング自体に弱化部分を設けた構造としていて、キャップ本体をキャップ取り外し方向に回転させたときに不正開封防止リングが弱化部分で切断され、キャップ本体に不正開封防止リングが連続した状態で引き上げられて取り外すことができる工夫が提案されている（例えば、特許文献２、３、４参照）。
【特許文献１】特開２００３−０５４５９７号公報
【特許文献２】特公平０４−０４０２６７号公報
【特許文献３】特公平０６−０８８６０２号公報
【特許文献４】実開平０３−０７５１５０号公報
【発明の開示】
【発明が解決しようとする課題】
【０００４】
上述したように、キャップ本体の下部に複数の連結部を介して不正開封防止リングを設け、開封に際して、キャップ本体に不正開封防止リングが繋がって取り外すことができるように図った不正開封機能付きのキャップについて本出願人も提案しており、これを図１〜図４に基づいて以下に説明する。
【０００５】
図１は不正開封防止機能付きキャップ１を示していて、この不正開封防止機能付きキャップ１は、上述したようにキャップ本体２と、このキャップ本体２の下部に切断可能な複数の連結部３で接続されている不正開封防止リング４とからなる。
不正開封防止リング４は、図３、図４に示すようにリング内周側に係止手段として複数の係止フラップ５を有していて、係止フラップ５それぞれはリング下縁部６からリング中心に向けて張り出ており、リング下縁部６側を折り部としてリング高さ方向に回動できるように設けられている。
この不正開封防止機能付きキャップ１はネジ付け式であることから、注出口ａへの取り付けにおいて、キャップ本体のキャップ取り付け方向での口部廻りの回転移動に伴ないながら口部高さ方向下方に移動し、不正開封防止リング４も口部廻りの回転移動を伴ないながら口部高さ方向下方に移動する。そして、係止フラップ５それぞれは、口部高さ方向下方へ移動していくときに注出口ａのリブｂに当接すれば、このリブｂに押し上げられるようにして上方に回動してリング内周側に待避し、リブｂを乗り越えてから元の状態に戻るように回動してリブｂの下方に位置する。ここで図２に示すように係止フラップ５それぞれはリブｂ下の口部基端ｃの外周面に当接して、斜め上方に傾斜した状態となるように設けられていて、この状態で不正開封防止リング４が口部高さ方向上方に移動すれば係止フラップ５それぞれがリブｂに係止し、この係止によって不正開封防止リング４の口部高さ方向上方への移動を規制するようにしている。
【０００６】
キャップ取り外しに際し、キャップ本体がキャップ取り外し方向で口部廻りで回転移動すると、キャップ本体は口部高さ方向上方に移動し、不正開封防止リング４も口部廻りで回転移動するとともに口部高さ方向上方に向けて移動する。上述したように、キャップ取り外し時に不正開封防止リング４の口部廻りの移動を伴なう口部高さ方向上方への移動で、係止フラップ５それぞれがリブｂに係止する。
なお、この時点での不正開封防止リング４の口部廻りの回転移動の量は多くなく、係止フラップ５が直ぐにリブｂに係止する。
【０００７】
また、不正開封防止リング４は一部分で分割されていて、分割端７が相対している箇所が縦の細いスリットとして形成されている。そして、分割端７の間の最下部、即ち、リング下縁部６が相対する部分に、分割端７同士（リング下縁部同士）を接続する切断可能な接続部８を設けている。なお、説明を容易にするために図１において相対している分割端の間を幅広に図示した。
さらに、キャップ本体２の取り外しでこの不正開封防止リング４も注出口ａの口部から外れるようにするために、接続部８を間にして対向する一方の分割端７と他方の分割端７との内、前記一方の分割端７に強化連結部９を設けていて（図１参照）、この強化連結部９を介して一方の分割端７とキャップ本体２とを接続し、この一方の分割端７がキャップ本体２の移動と伴なうように設けられていた。
【０００８】
（連結部の強度）
この不正開封防止キャップ１では、キャップ本体２をキャップ取り外し方向に回転したときに複数の連結部が切断されるようにしている。この連結部の強度は、リブに複数の係止フラップが係止して口部高さ方向上方への移動が規制された不正開封防止リングに対して、キャップ本体が口部廻りでの回転移動を伴なった口部高さ方向上方への移動で離れるときに切断される強度としている。
（強化連結部の強度）
また、キャップ本体をキャップ取り外し方向に回転したときに、上記強化連結部を介して一方の分割端が口部高さ方向上方に確実に引き上げられるようにしている。そのため、強化連結部の強度は、キャップ取り外しに際してこの強化連結部に加わる引っ張り力に抗して非切断としていて、口部高さ方向上方に向けて移動するキャップ本体に伴なうように十分な強度とされている。
【０００９】
（接続部の強度）
さらにキャップ本体をキャップ取り外し方向に回転させた際、上記複数の連結部の切断後に、接続部が切断するように図られている。これは連結部が切断し終えるまで不正開封防止リングの係止フラップが上記リブに係止している状態を維持させることを目的としているものである。即ち、連結部が切断しない状態で接続部が切れてしまうと、リブに突き当たっている係止フラップからの力が不正開封防止リング自体を開くように働いてしまい、そして、係止フラップがリブから外れて不正開封防止リングが口部高さ方向上方に抜け上がることになるからである。
不正開封防止リングが注出口から外れること自体は不都合ではないが、キャップ本体と不正開封防止リングとが多くの連結部を介して接続して注出口から取り外された場合、その開封後に、不正開封防止リングをキャップ本体から分離する手作業が煩わしくなり、不正開封防止リングが付いたままのキャップ本体で注出口を閉栓してしまう可能性が高くなる。
また、キャップ本体の下端部に沿って不正開封防止リングが位置した状態で注出口から外れたキャップを、その不正開封防止リングが付いたままで故意に注出口に付け戻し、未開封であるが如くに見せる悪戯などが行なわれてしまう可能性もある。その場合、口栓が一度開封されたものであることが見た目では簡単に判断できず、不正開封防止の機能を発揮できなくなる。
【００１０】
そのため、接続部の強度は、キャップ本体の取り外し時にリブへの係止フラップの係止により不正開封防止リングが口部高さ方向上方へ移動するのが規制されたとき、その不正開封防止リングの周方向に生じる引っ張り力に抗して非切断となる強度とされている。そして、キャップ本体の口部廻りの回転移動に伴なう口部高さ方向上方への移動により連結部が切れた後、強化連結部から一方の分割端に伝わる引っ張り力により切断するように図られている。
このようにして、キャップ取り外しに際し、キャップ本体をキャップ取り外し方向に回転させることで、接続部が切断されてキャップ本体の口部高さ方向上方への移動に伴なって不正開封防止リングがリブ下から外れるように図られている。
なお、強化連結部は、キャップ取り外しした後に、手操作でキャップ本体と不正開封防止リングとを引き離すように引っ張ることで切断できるものとしている。
【００１１】
またさらに、上記接続部においては、以下に説明するようにキャップを取り付けるときに切断されないようにする強度を必要としている。
即ち、このキャップを注出口に最初に取り付けるときに不正開封防止リングが口部高さ方向下方に移動し、上記係止フラップそれぞれが上述したようにリブを乗り越えるときに上方に向けて撓むように回動してリング内周側に待避する。このときに不正開封防止リングのリング下縁部にリング周方向で引っ張り力が生じるようになる。そのためこの引っ張り力に対しても接続部が切断されないようにする必要がある。
【００１２】
接続部の不必要な切断を避ける方法としては、この接続部のリング径方向での寸法を大きくすることが考えられる。このように接続部の寸法をリング径方向に調整することは、リング周方向での引っ張り力に抗しながらも一方の分割端を引き上げるときに加わる引っ張り力の作用で切断できるようにする上で有利である。
しかし、不正開封防止リングはリング内周側の係止フラップが回動して折り上げられたときの待避部分を確保するために、リング下縁部から係止フラップが折り上げられたときに重なる部分までは薄肉に成形されていて、分割端の間の最下部に位置する接続部のリング径方向の寸法をリング下縁部の厚さ以上には大きくすることができない。
よって、接続部のリング径方向での厚さ調整の自由度が極めて少なく、不必要な切断を避けながら必要時（一方の分割端の引き上げ時）に切断できるように成形することが非常に難しいものとなる。
【００１３】
一方、分割端の間の最下部の位置において、接続部のリング高さ方向の寸法を大きくする（リング高さ方向に厚みを大きくする）ことができる。このようにすることで、不必要な切断、特にキャップを注出口に取り付ける際の係止フラップがリブを乗り越えるときに、リング下縁部に周方向に加わる引っ張りに対して切断することがなく、接続部の切断によるキャップ取付不良を低減する上で効果がある。
しかしながら、この接続部のリング高さ方向の寸法を大きくしてしまうと、キャップ取り外し時にこの接続部を切断するための力が集中せずに分散して切断できず、キャップ取り外し時（開封時）にキャップ本体を回転させるトルクが大きくなって、一般消費者側での開封操作性が悪くなるという問題が生じる。
【００１４】
そこで本発明は上記事情に鑑み、不正開封防止リングの分割端の間に位置する接続部に対して、リング径方向での厚み調整が行ない易くなるようにすることを課題とし、不正開封防止機能付きキャップを取り付けた注出口において、キャップを取り外し方向に回したとき、適正に不正開封防止リングがキャップ本体につながった状態で取り外されるようにすることを目的とする。
【課題を解決するための手段】
【００１５】
本発明は上記課題を考慮してなされたもので、口部外周面に外ネジ部を有してこの外ネジ部の下部に口部外周面に亘ってリブを設けた注出口に取り付けるネジ付け式である合成樹脂製のキャップであって、キャップ本体と、このキャップ本体の下部に切断可能な複数の連結部で接続されている不正開封防止リングとからなり、前記不正開封防止リングはリング内周側に係止手段を有していて、前記係止手段は、注出口に取り付けられたキャップ本体がキャップ取り外し方向に回転して不正開封防止リングが口部高さ方向上方に移動したときに前記リブに係止するものであり、かつ、前記不正開封防止リングは分割されていて、分割端の間に位置してリング高さ方向に細幅とした切断可能な接続部を介して分割端同士が接続され、前記接続部を間にして相対する一方の分割端と他方の分割端の内、一方の分割端に強化接続部が設けられて、この強化接続部を介して前記一方の分割端とキャップ本体とが接続されている不正開封防止機能付きキャップにおいて、前記接続部は、分割端間のリング上縁部が相対する部分に配置されていることを特徴とする不正開封防止機能付きキャップを提供して、上記課題を解消するものである。
【００１６】
そして、上記発明において、上記リング上縁部がリング径方向中心側に向けて凸となる厚肉に成形され、分割端間において厚肉のリング上端部の間に接続部が位置しているものとすることが良好である。
【００１７】
また、上記発明において、不正開封防止リングは複数箇所で分割されていて、分割部分ごとに分割端同士を接続する上記接続部が配置されていて、分割部分の一方の分割端それぞれが上記強化連結部を介してキャップ本体に接続されているものとすることが可能である。
【００１８】
また、上記発明において、対向する分割端の内、上記他方の分割端には、キャップ本体に非連続にしてこのキャップ本体に向けて突出したストッパが設けられているものとすることが良好である。
【発明の効果】
【００１９】
請求項１の発明によれば、接続部を、分割端間のリング上縁部が相対する部分に配置しているので、係止手段が待避するときの重なりを考慮することなく、キャップ本体の下部の厚さ寸法を最大の範囲として、接続部のリング径方向の寸法を調整することができ、接続部を成形する自由度が大きくなる。
よって、キャップを注出口に取り付けるときに非切断とすることと、キャップ本体をキャップ取り外し方向に回転移動させるときに連結部が切断されるまでは非切断とすることとの条件を満たしながら、強化連結部を介して一方の分割端に引っ張り力が加わったときにこの接続部が切断されるように成形することが容易になり、キャップ取付時に接続部が切断してしまう不良を無くし、また、一般消費者側での開封に際し、キャップ取り外し方向に回転させるときのトルクを低減させて開封操作を容易なものとすることができ、開封時の接続部の切断不良を無くすことができる。
【００２０】
請求項２の発明によれば、接続部が厚肉のリング上縁部の間に位置しているので、接続部のリング径方向での位置設定の自由度が高くなる。
【００２１】
請求項３の発明によれば、キャップ本体をキャップ取り外し方向に回転させたときに不正開封防止リングが複数に別れてリブとの係止関係が直ぐに解除されるようになり、キャップ本体の取り外し操作が容易になる。
【００２２】
請求項４の発明によれば、不正開封防止リングとともにキャップ本体を注出口に取り付けに際し、係止手段がリブに接して不正開封防止リングにこのリングを口部高さ方向上方に押し上げる力が一方の分割端と他方の分割端とに作用しても、一方の分割端は強化連結部を介してキャップ本体に接続されているので口部高さ方向上方に移動することがなく、また、他方の分割端もストッパが直ぐにキャップ本体に当接して口部高さ方向上方への移動が殆どなく、一方の分割部と他方の分割部とにリング高さ方向において大きな段差が生じず、よって、接続部の無用な切断が防止できる。
【発明を実施するための最良の形態】
【００２３】
つぎに本発明を図５から図７に示す実施の形態に基づいて詳細に説明する。なお、図１〜図４に示す例と構成が重複する部分は同符号を付してその説明を省略する。
図５は本発明の不正開封防止機能付きキャップ１を示している。本発明の不正開封防止機能付きキャップ１において、不正開封防止リング４が二箇所の位置で分割されていて、二つの分割端間１２はリング径方向に相対する位置にある。分割端間１２それぞれにおいて接続部８の配置が図１〜図４に示した例と異なっていて、分割端間１２での最上部に接続部８が位置し、分割端間１２で相対しているリング上縁部１４がその接続部８によって接続され、リング上縁部１４の下からリング下縁部６までは開放された状態となっている。
【００２４】
このように本発明では、接続部８はリング上縁部１４のみを接続するように配置されていて、リング上縁部１４の下の位置からリング下縁部６までの部分が開放されていることから、この不正開封防止機能付きキャップ１の注出口への取付において不正開封防止シリング４の係止フラップ５がリブに当接し、フラップ折り重ね対応部１１側に回動するときにリング下縁部６側でリング周方向に沿って生じる引っ張り力が分割端間１２の下部側の若干の開きによって軽減され、その引っ張り力が大きくならない状態で前記係止フラップ５それぞれがリブを乗り越えてリブの下の位置に移動する。
そして、分割端間１２の最上部に位置する接続部８については、キャップ取付時での上記引っ張り力（リング下縁部６側のリング周方向の引っ張り力）に抗するための強度を高い値に設定する必要がない。このように、接続部８が確保しなければならない引っ張り力に抗するための強度の下限が下がり、接続部８自体の断面形状などの設定の自由度が高くなっている。
【００２５】
上記不正開封防止リング４のリング上縁部１４は、このリング上縁部１４の外周面を上記フラップ折り重ね対応部１１の外周面と同じ位置に揃えながら、リング径方向での厚さ寸法をフラップ折り重ね対応部１１の厚さ寸法より大きくしてリング径方向中心側に凸となる厚肉に形成され、キャップ本体２の下縁部１５の厚さ寸法と同じとしている。そして、この厚肉としたリング上縁部１４の下に薄肉のフラップ折り重ね対応部１１がリング下縁部６の位置まであることから、フラップ折り重ね対応部１１のリング内周面側を、リブを乗り越えるときの係止フラップ５の待避用の凹部１６として形成している。
そして、上記接続部８のリング径方向での厚さ寸法が、リング上縁部１４の厚さ寸法内で設定されていて、上述したようにリング上縁部１４が厚肉に形成されていることから、接続部８のリング径方向の厚さを設定する自由度が、リング下縁部にある場合に比べて頗る高い。図示の例では接続部８のリング径方向の厚さ寸法をリング上縁部１４のリング径方向の厚さ寸法と同一とし、リング高さ方向での厚さ寸法を図１〜図４に示した例のものより小さくして、接続部８の強度を調整している。
このように接続部８のリング径方向での厚さ寸法の調整の範囲が、リング上縁部１４のリング径方向の厚さ寸法の範囲内として広く確保できるので、例えば図６、７に示すように接続部８のリング高さ方向での厚さ寸法を許容される成形限界の薄いものとしながらも、リング径方向での厚さ寸法を調整することで、この接続部８の強度を細かく調整することができ、また、その調整が容易になる。
【００２６】
図示のように上記実施の例においては、不正開封防止リング４がリング径方向に対向する二ヶ所で分割されていて、それぞれの分割端間１２においてリング上縁部１４同士のみを接続部８を介して接続しているとともに、一方の分割端７それぞれの上面とキャップ本体２の下部とが強化連結部９を介して接続している。
このように不正開封防止リング４が二ヶ所、そして三ヶ所以上の位置で分割され、各分割端間で上記接続部８を配するとともに、それぞれの一方の分割端をキャップ本体２に強化連結部９を介して接続するようにすることで、キャップを取り付けした後に、そのキャップ取り外し方向にキャップ本体を回転させたときには、不正開封防止リングが複数に別れてリブとの係止関係がすぐに無くなり、よって、キャップ本体の取り外し回転操作がより容易になる。
なお、不正開封防止リング４の分割部分は二ヶ所である必要は必ずしもなく、図１〜図４の例に示すように一ヶ所であっても、また、三ヶ所以上であってもよい。
【００２７】
本発明において、上記分割端間１２で対向する一方の分割端７と他方の分割端７との内、他方の分割端７の上面にはリング高さ方向上方に向けて凸のストッパ１７が設けられられていて、キャップ本体２に対して非連続であり、そのキャップ本体２の下部に向けて突出している。
このように他方の分割端７の上面に上方に向けて凸のストッパ１７が位置していることから、この不正開封防止機能付きキャップ１を注出口に取り付ける際、上記係止フラップ５とリブとの当接で他方の分割端７を上方に向けて押し上げる作用が働いたとしても、この他方の分割端７のストッパ１７が直ぐにキャップ本体２に当接するため、一方の分割端７と他方の分割端７とに上下方向に大きな段差が生じず、相対する分割端７、７の上下ずれで接続部８が切断するという不具合を防止している。もちろん、一方の分割端７は強化連結部が介在しているため、上方に移動しない。
【図面の簡単な説明】
【００２８】
【図１】先に検討した不正開封防止機能付きキャップと注出口を示す説明図である。
【図２】図１に示す例の取付状態を断面で示す説明図である。
【図３】図１に示す例のキャップ本体を断面で示す説明図である。
【図４】図１に示す例の係止フラップを示す説明図である。
【図５】本発明に係る不正開封防止機能付きキャップを示す説明図である。
【図６】本発明の実施の例における注出口への取付状態を断面で示す説明図である。
【図７】本発明の実施の例におけるキャップ本体を断面で示す説明図である。
【符号の説明】
【００２９】
１…不正開封防止機能付きキャップ
２…キャップ本体
３…連結部
４…不正開封防止リング
５…係止フラップ
６…リング下縁部
７…分割端
８…接続部
９…強化連結部
１１…フラップ折り重ね対応部
１２…分割端間
１４…リング上縁部
１７…ストッパ
ａ…注出口
ｂ…リブ
【図１】
2008285208.tif 000003
【図２】
2008285208.tif 000004
【図３】
2008285208.tif 000005
【図４】
2008285208.tif 000006
【図５】
2008285208.tif 000007
【図６】
2008285208.tif 000008
【図７】
2008285208.tif 000009